(57)【特許請求の範囲】
【請求項１】
天井スラブに吊り下げ支持された照明器具の筐体に多孔パネルを支持させ、その多孔パネルの上面に下方が開口した給気チャンバーを載置し、その給気チャンバーに給気ダクトを連通接続してあり、前記給気チャンバーの天井スラブ側部分に長尺部材を両端部分が横方向に突出するように固定し、隣り合う前記照明器具の天井スラブ側部分の夫々に前記長尺部材の両端部分の夫々を支持させてある天井構造。
【請求項２】
天井スラブに吊り下げ支持された照明器具の筐体に多孔パネルを支持させ、その多孔パネルの上面に下方が開口した給気チャンバーを載置し、その給気チャンバーに給気ダクトを連通接続してあり、前記照明器具を水平方向に間隔を隔てて並べて設け、隣り合う前記照明器具の間に前記多孔パネルを配設し、前記照明器具の天井スラブ側部分と前記給気チャンバーの天井スラブ側部分とを同高さ又は略同高さに構成し、前記給気チャンバー内に整流部材を設けてあり、前記給気ダクトから給気される空気を前記多孔パネルの下方に均一に吹き出すことができるように構成してあり、前記給気チャンバーの天井スラブ側部分に長尺部材を両端部分が横方向に突出するように固定し、隣り合う前記照明器具の天井スラブ側部分の夫々に前記長尺部材の両端部分の夫々を支持させてある天井構造。
【発明の詳細な説明】
【技術分野】
【０００１】
本発明は、天井スラブに吊り下げ支持された天井構造に関する。
【背景技術】
【０００２】
かかる天井構造は、天井スラブに長尺状の支持部材が吊り下げ支持され、その長尺状の支持部材に天井板を支持させて天井面を構成し、天井スラブに照明器具や給気チャンバーが吊り下げ支持され、天井面から照明器具や給気チャンバーの吹出口を露出させるようにしたものである。
【０００３】
従来、この種の天井構造では、天井スラブに吊りボルトを打ち込み、吊りボルトに照明器具及び給気チャンバーを夫々個別に取り付けて、照明器具及び給気チャンバーを吊り下げ支持するものがあった（尚、この様な従来技術に関しては、当業者の間で広く知られているものであるが、該当する構成が記載された特許文献などは見あたらないので、先行技術文献は示していない。）。
【発明の開示】
【発明が解決しようとする課題】
【０００４】
従来の天井構造においては、照明器具を吊り下げ支持するための吊りボルトに加えて、給気チャンバーを吊り下げ支持するための吊りボルトが必要になるだけでなく、天井スラブに吊りボルトを打ち込む作業がその分多くなる等、構成の簡素化及び施工性の向上を図ることができないものとなっていた。
【０００５】
本発明は、上記実状に鑑みて為されたものであって、その目的は、構成の簡素化及び施工性の向上を図ることができる天井構造を提供する点にある。
【課題を解決するための手段】
【０００６】
本発明の天井構造の第１特徴構成は、天井スラブに吊り下げ支持された照明器具の筐体に多孔パネルを支持させ、その多孔パネルの上面に下方が開口した給気チャンバーを載置し、その給気チャンバーに給気ダクトを連通接続してあり、前記給気チャンバーの天井スラブ側部分に長尺部材を両端部分が横方向に突出するように固定し、隣り合う前記照明器具の天井スラブ側部分の夫々に前記長尺部材の両端部分の夫々を支持させてある点にある。
【０００７】
すなわち、天井スラブに吊り下げ支持された照明器具の筐体に多孔パネルを支持させ、その多孔パネルの上面に下方が開口した給気チャンバーを載置し、その給気チャンバーに給気ダクトを連通接続してあるので、例えば、給気チャンバーを吊り下げ支持するための吊りボルトが不要になるだけでなく、天井スラブに吊りボルトを打ち込む作業がその分少なくなる等、構成の簡素化及び施工性の向上を図ることができる。しかも、給気ダクトから給気される空調空気が給気チャンバーを通過して多孔パネルの下方に吹き出されるので、多孔パネルの孔から微風速で吹き出される空調空気による対流空調に加えて、多孔パネルの放射面から放射される放射熱による放射空調を行なうことができ、対流空調のみを行なうのに較べて室内温度が均一になり易く、ドラフトが発生し難いものとなる。加えて、照明器具の筐体に多孔パネルを支持させ、その多孔パネルの上面に給気チャンバーを載置してあるので、天井面に点検口を設けること無く、多孔パネルを上方に押し上げるだけで、照明器具の点検や清掃等を容易に行うことができる。
また、給気チャンバーの天井スラブ側部分に長尺部材を両端部分が横方向に突出するように固定し、隣り合う照明器具の天井スラブ側部分の夫々に長尺部材の両端部分の夫々を支持させてあるので、隣り合う照明器具の間に長尺部材を架設するだけで、照明器具に給気チャンバーを確実に支持させることができる。
【０００８】
本発明の第２特徴構成は、天井スラブに吊り下げ支持された照明器具の筐体に多孔パネルを支持させ、その多孔パネルの上面に下方が開口した給気チャンバーを載置し、その給気チャンバーに給気ダクトを連通接続してあり、前記照明器具を水平方向に間隔を隔てて並べて設け、隣り合う前記照明器具の間に前記多孔パネルを配設し、前記照明器具の天井スラブ側部分と前記給気チャンバーの天井スラブ側部分とを同高さ又は略同高さに構成し、前記給気チャンバー内に整流部材を設けてあり、前記給気ダクトから給気される空気を前記多孔パネルの下方に均一に吹き出すことができるように構成してあり、前記給気チャンバーの天井スラブ側部分に長尺部材を両端部分が横方向に突出するように固定し、隣り合う前記照明器具の天井スラブ側部分の夫々に前記長尺部材の両端部分の夫々を支持させてある点を特徴とする。
【０００９】
すなわち、天井スラブに吊り下げ支持された照明器具の筐体に多孔パネルを支持させ、その多孔パネルの上面に下方が開口した給気チャンバーを載置し、その給気チャンバーに給気ダクトを連通接続してあるので、例えば、給気チャンバーを吊り下げ支持するための吊りボルトが不要になるだけでなく、天井スラブに吊りボルトを打ち込む作業がその分少なくなる等、構成の簡素化及び施工性の向上を図ることができる。しかも、給気ダクトから給気される空調空気が給気チャンバーを通過して多孔パネルの下方に吹き出されるので、多孔パネルの孔から微風速で吹き出される空調空気による対流空調に加えて、多孔パネルの放射面から放射される放射熱による放射空調を行なうことができ、対流空調のみを行なうのに較べて室内温度が均一になり易く、ドラフトが発生し難いものとなる。加えて、照明器具の筐体に多孔パネルを支持させ、その多孔パネルの上面に給気チャンバーを載置してあるので、天井面に点検口を設けること無く、多孔パネルを上方に押し上げるだけで、照明器具の点検や清掃等を容易に行うことができる。
また、照明器具を水平方向に間隔を隔てて並べて設け、隣り合う照明器具の間に多孔パネルを配設し、その多孔パネルの上面に給気チャンバーを載置してあるので、隣り合う照明器具の間に形成された空間を有効利用して多孔パネル及び給気チャンバーを設置できる。しかも、照明器具の天井スラブ側部分と給気チャンバーの天井スラブ側部分とを同高さ又は略同高さに構成してあるので、例えば、給気チャンバーの上方に設置された既存の配管等に干渉することを防止できる。加えて、給気チャンバー内に整流部材を設けてあるので、照明器具と同高さにするために上下高さが低くなり易い給気チャンバーであっても、給気ダクトから給気される空気を多孔パネルの下方に均一に吹き出すことができる。
【００１１】
また、給気チャンバーの天井スラブ側部分に長尺部材を両端部分が横方向に突出するように固定し、隣り合う照明器具の天井スラブ側部分の夫々に長尺部材の両端部分の夫々を支持させてあるので、隣り合う照明器具の間に長尺部材を架設するだけで、照明器具に給気チャンバーを確実に支持させることができる。
【発明を実施するための最良の形態】
【００１２】
〔第１実施の形態〕
以下、本発明に係る天井構造について説明する。
図１〜６に示すように、天井スラブＴＳに吊り下げ支持されたロ字型の照明器具Ｓの内周側に、多孔パネルＴとしての一対のパンチングパネル７及びそのパンチングパネル７の上面に載置した給気チャンバー８が２つ並べて設けられている。天井スラブＴＳに吊り下げ支持された給気ダクト２３が給気チャンバー８に連通接続されており、給気ダクト２３からの空調空気をパンチングパネル７の孔を通して下方に通風するとともに、パンチングパネル７の下面（放射面）からの放射熱により室内を冷房（又は暖房）する放射併用空調を行なうように構成されている。これにより、対流空調のみを行なうのに較べて室内温度が均一になり易く、ドラフトが発生し難いものとなる。
そして、天井スラブＴＳに吊りボルト５が打ち込まれ、その吊りボルト５の下部に照明器具Ｓが取り付けられて、照明器具Ｓを吊り下げ支持するように構成され、照明器具Ｓにおける筐体の一例としての板金製のカバー２にパンチングパネル７を支持させ、その給気チャンバー８の上面に下方が開口した給気チャンバー８を載置している。
これにより、給気チャンバー８を吊り下げ支持するための吊りボルト５が不要になるだけでなく、天井スラブＴＳに吊りボルト５を打ち込む作業がその分少なくなる等、構成の簡素化及び施工性の向上を図ることができる。又、パンチングパネル７を上方に押し上げるだけで、天井面に点検口を設けること無く、照明器具Ｓの点検（特に、蛍光灯３の安定器の点検）や清掃等を容易に行なえる。そして、ロ字型の照明器具Ｓの中央にスプリンクラー１が設けられ、スプリンクラー１の配管２１が給気チャンバー８の上方にかつ給気チャンバー８の並び方向に沿って設置されている。
尚、詳述はしないが、吊りボルト５の下部に図示しないＣチャンネルやＴバー等の長尺状の支持部材が取り付けられ、その長尺状の支持部材に天井板２２を支持させて天井面Ｒを構成してある。
【００１３】
ちなみに、図１は、床側から斜め上方に見たときの照明器具Ｓ、パンチングパネル７、及び、天井板２２（天井構造）を示す要部斜視図である。図２は、天井スラブ側から斜め下方に見たときの照明器具Ｓ、パンチングパネル７、給気チャンバー８を示す分解斜視図である。図３は、給気チャンバー８の斜視図である。図４は、照明器具Ｓ、パンチングパネル７、給気チャンバー８の正面図である。図５は、照明器具Ｓ、パンチングパネル７、給気チャンバー８の側面図である。図６は、照明器具Ｓ、パンチングパネル７、給気チャンバー８の背面図である。
【００１４】
〔照明器具の構成〕
前記照明器具Ｓは、図１、図４、図５に示すように、カバー２、蛍光灯３等を備えている。カバー２は、４つのカバー部分４の夫々の両端を連結して平面視にて矩形枠状（ロ字型）に構成されている。カバー部分４は、照明器具Ｓの天井スラブ側部分としての上面部４ａとその上面部４ａの両端から下方に延びる側面部４ｂとを備えて、断面形状が略コ字状に構成されている。そして、カバー部分４の側面部４ｂの下部に多孔パネル支持部分としての一対の鍔部４ｃが外方側に突出する状態で形成されている。
【００１５】
〔パンチングパネルの構成〕
前記パンチングパネル７は、図１、図２に示すように、鉄、アルミ、アルミ合金等の熱伝導性の高い金属にて形成され、周縁部に折り曲げ部７ａが形成されており、カバー部分４に形成された鍔部４ｃの上面にて支持されている。そして、図７に示すように、落下防止用ワイヤ１７の一端に設けられたフック１８が落下防止用ワイヤ１７の一端側に掛けられて吊りボルト５に掛け回されるループ状に構成されるとともに、落下防止用ワイヤ１７の他端と他端側の部分とを圧着スリーブ１９にて固定してパンチングパネル７の孔を通るループ状に構成されている。これにより、地震等によりパンチングパネル７が鍔部４ｃから外れたとしても、パンチングパネル７が下方に落下することを防止できる。尚、図７は、吊りボルト５及びパンチングパネル７に落下防止用ワイヤ１７を取り付けた構成を示す図である。
尚、詳述はしないが、パンチングパネル７の間に長細状のパンチングパネル１２が架設されており、そのパンチングパネル１２の中央の位置に開口された開口からスプリンクラー１が露出している。
【００１６】
〔給気チャンバーの構成〕
前記給気チャンバー８は、図２〜図５に示すように、アルミ箔を貼り付けた強化不燃ダンボールにて形成され、下面が開口する箱状に構成されている。給気チャンバー８の天井スラブ側部分としての上面部８ａにおける中央から給気チャンバー８の長辺方向に偏心した位置に開口９が形成され、その開口９の周縁に筒状の接続部１０が上方に延びる状態で取り付けられ、その接続部１０に給気ダクト２３が連通接続されている。尚、開口９及び接続部１０が給気チャンバー８の上面部８ａにおける中央から偏心した位置に設けられているのは、スプリンクラー１の配管２１との干渉を防ぐためである。給気チャンバー８の側面部８ｂの下端にクッション材１１が取り付けられており、給気チャンバー８が、パンチングパネル７の上面にクッション材１１を介して載置されている。
そして、カバー部分４の上面部４ａと給気チャンバー８の上面部８ａとを同高さに構成してある。これにより、隣り合う照明器具Ｓの間の空間を有効利用できる。又、既存の天井スラブＴＳに施工する際に、給気チャンバー８の上方に設置された既存の配管等に干渉することを防止できる。
【００１７】
〔整流部材の構成〕
図３〜図６に示すように、前記給気チャンバー８の上面部８ａにおける下面に、整流部材Ａとしての金属製の第１整流部材Ａ１及び第２整流部材Ａ２が取り付けられている。第１整流部材Ａ１は、上方が開口した短辺方向の断面形状が平行四辺形の四角柱状に構成してあり、開口９の周りを囲んで自己と上面部８ａとの間に空間を形成するように上面部８ａに取り付けられている。
【００１８】
前記第１整流部材Ａ１は、開口９から下方に吹き出す空気を遮蔽する遮蔽部材１３、その遮蔽部材１３の長辺方向の両横側に取り付けられた一端側の整流板１４、中央側の整流板１５を備えている。遮蔽部材１３は、丸穴１３ａが形成された正方形状の板状の平板部１３ｂとその平板部１３ｂの両端部からその平板部１３ｂに垂直な方向に延びる一対の長方形状の接続部１３ｃとを備えて、断面形状が略コ字状に構成されている。
【００１９】
前記一端側の整流板１４は、上面部８ａに取り付けられた矩形板状の取り付け部１４ａ、その取り付け部１４ａの端部からその取り付け部１４ａから傾斜する方向に延びる矩形板状の折り曲げ部１４ｂを備えて、断面形状が略く字状に構成されている。そして、折り曲げ部１４ｂが、上面部８ａの法線方向から長辺方向に傾斜する状態で設けられ、自己と平板部１３ｂとの間にスリット状の隙間ｄ１を形成するように構成されている。
【００２０】
前記中央側の整流板１５は、上面部８ａに取り付けられた矩形板状の取り付け部１５ａと、その取り付け部１５ａの端部からその取り付け部１５ａから傾斜する方向に延びる矩形板状の折り曲げ部１５ｂとを備えて、断面形状が略く字状に構成されている。そして、折り曲げ部１５ｂが、一端側の整流板１４と同じ方向に傾斜する状態で設けられ、自己と平板部１３ｂとの間及び自己と上面部８ａとの間に夫々スリット状の隙間ｄ２、ｄ３を形成するように構成されている。
【００２１】
前記第２整流部材Ａ２は、上面部８ａに取り付けられた矩形板状の取り付け部２４と、その取り付け部２４の端部からその取り付け部２４から傾斜する方向に延びる矩形板状の折り曲げ部２５とを備えて、断面形状が略く字状に構成されている。そして、折り曲げ部２５が、一端側の整流板１４及び中央側の整流板１５の傾斜方向とは逆の方向に傾斜する状態で設けられている。
【００２２】
〔給気ダクトからの空調空気が整流される構成〕
図５に示すように、開口９から下方に吹き出された空気の一部は、平板部１３ｂに形成された丸穴１３ａを通過してそのまま下方に通流する。開口９から下方に吹き出された空気の残りは、板状の平板部１３ｂに遮蔽されて一方側及び他方側に通流する。一方側に通流する通流空気は、一端側の整流板１４に案内され、隙間ｄ１を通過することにより、一端側の整流板１４の傾斜方向と同じ方向に通流する。他方側に通流する通流空気の一部は、中央側の整流板１５に案内され、隙間ｄ２を通過することにより、中央側の整流板１５（一端側の整流板１４）の傾斜方向と同じ方向に通流する。他方側に通流する通流空気の残りは、隙間ｄ３を通過してそのまま他方側に通流し、第２整流部材Ａ２に案内されることにより、中央側の整流板１５（一端側の整流板１４）の傾斜方向とは逆の方向に傾斜する傾斜方向に通流する。
これにより、照明器具Ｓと同高さであり、しかも、開口９が給気チャンバー８の上面部８ａにおける中央から偏心した位置に設けられたとしても、ドラフトを生じさせること無く下方に均一に通風することができる。
【００２３】
前記給気チャンバー８の上面部８ａに、長尺部材としての一対のチャンネル部材２０を給気チャンバー８の長辺方向に沿って両端部分が横方向に突出するように固定し、隣り合うカバー部分４の上面部４ａの夫々にチャンネル部材２０の両端部分の夫々を支持させてある。
説明を加えると、一対のチャンネル部材２０が、上面部８ａの上面に給気チャンバー８の長辺方向に沿って設けられ、一端側の整流板１４の取り付け部１４ａ、中央側の整流板１５の取り付け部１５ａ、第２整流部材Ａ２の取り付け部２４が、上面部８ａの下面における給気チャンバー８の長辺方向の中央付近及び両端部側に短辺方向に沿って設けられ、ボルトナットにて、チャンネル部材２０、上面部８ａ、それら取り付け部１４ａ、１５ａ、２４が上下方向に貫通する状態で締結されている。これにより、取り付け部１４ａ、１５ａ、２４がワッシャの役割を果たすので、上面部８ａの変形を抑制できるだけでなく、平面視にて、一対のチャンネル部材２０と取り付け部１４ａ、１５ａ、２４とが枠状に連結されるので、給気チャンバー８の保形強度の向上を図ることができる。
【００２４】
そして、給気チャンバー８の長辺方向に隣り合うカバー部分４の上面部４ａの夫々にチャンネル部材２０の両端部分の夫々を支持させてあるので、隣り合う照明器具Ｓの間にチャンネル部材２０を架設するだけで、照明器具Ｓに給気チャンバー８を支持させることができる。しかも、パンチングパネル７を鍔部４ｃの上面に載置したときに、カバー部分４が天井スラブＴＳにおける吊りボルト５の取り付け箇所を軸芯として水平方向に揺動したり、カバー部分４が回転する方向にモーメントが働くが、チャンネル部材２０の両端部分にてカバー部分４を上方から押え付けることにより、そのようなモーメントと反対方向にチャンネル部材２０の押圧力が作用するので、カバー部分４の揺動や回転する虞を無くすことができる。
【００２５】
〔別実施の形態〕
（１）上記実施の形態では、多孔パネルＴがパンチングパネル７である構成を例示したが、これに限られるものではなく、多孔パネルＴがメッシュである構成であってもよい。
【００２６】
（２）上記実施の形態では、天井スラブＴＳに吊り下げ支持されたロ字型の照明器具Ｓの内周側に、パンチングパネル７が２つ並べて設けられている構成を例示したが、これに限られるものではなく、天井スラブＴＳに吊り下げ支持されたコ字型の照明器具Ｓの内方側に、パンチングパネル７が２つ並べて設けられている構成でもよく、天井スラブＴＳに吊り下げ支持された二字型の照明器具Ｓの間に、パンチングパネル７が２つ並べて設けられている構成でもよく、あるいは、天井スラブＴＳに吊り下げ支持された２列の照明器具Ｓの間に、パンチングパネル７が照明器具Ｓの列と同じ方向に並べて設けられている構成でもよい。要するに、照明器具Ｓを水平方向に間隔を隔てて並べて設け、隣り合う照明器具Ｓの間にパンチングパネル７を配設する構成であればよい。尚、パンチングパネル７が２以上の複数並べて設けられる構成でもよく、あるいは、パンチングパネル７が１つだけ設けられる構成でもよい。
【００２７】
（３）上記実施の形態では、隣り合う照明器具Ｓの間にパンチングパネル７を配設する構成を例示したが、これに代えて、天井スラブＴＳに吊り下げ支持されたＴバーに天井板２２を支持させて天井のほぼ全面を構成し、照明器具Ｓと天井板２２を支持させるＴバーとの間にパンチングパネル７を配設する構成にしてもよく、あるいは、隣り合うＴバーの間にパンチングパネル７を配設する構成としてもよい。
これにより、給気チャンバー８を支持するための構成をシステム天井に兼用させて構成の簡素化及び施工性の向上を図ることができる。又、多孔パネルを上方に押し上げるだけで、設備の点検や清掃等を容易に行なえる。
【００２８】
（４）上記実施の形態では、カバー部分４の上面部４ａと給気チャンバー８の上面部８ａとを同高さである構成を例示したが、カバー部分４の上面部４ａと給気チャンバー８の上面部８ａとを略同高さにしてもよく、さらに、給気チャンバー８の上面部８ａがカバー部分４の上面部４ａから若干下側に入り込んだ状態にしたり、給気チャンバー８の上面部８ａがカバー部分４の上面部４ａから若干上側に飛び出す状態にしてもよい。
【００２９】
（５）上記実施の形態では、天井スラブＴＳに吊り下げ支持されたロ字型の照明器具Ｓの内周側に、一対のパンチングパネル７が設けられている構成を例示したが、一対のパンチングパネル７のうち一方を天井板や点検口にしたり、スプリンクラーやスピーカー等を設置してもよく、各種の形態で実施可能である。
【００３０】
（６）上記実施の形態では、給気チャンバー８は、強化不燃ダンボールで構成する構成を例示したが、これに限られるものではなく、グラスウールダクトで構成してもよく、要するに、軽量の素材であればよい。
【図面の簡単な説明】
【００３１】
【図１】照明器具、パンチングパネル、及び、天井板を示す要部斜視図
【図２】照明器具、パンチングパネル、給気チャンバーを示す分解斜視図
【図３】給気チャンバーの斜視図
【図４】照明器具、パンチングパネル、給気チャンバーの正面図
【図５】照明器具、パンチングパネル、給気チャンバーの側面図
【図６】照明器具、パンチングパネル、給気チャンバーの背面図
【図７】吊りボルト及びパンチングパネルに落下防止用ワイヤを取り付けた構成を示す図
【符号の説明】
【００３２】
２            筐体
４ａ          照明器具の天井スラブ側部分
８            給気チャンバー
８ａ          給気チャンバーの天井側部分
２０          長尺部材
２３          給気ダクト
Ｓ            照明器具
Ｔ            多孔パネル
ＴＳ          天井スラブ
【図１】
0005010523.tif 000002
【図２】
0005010523.tif 000003
【図３】
0005010523.tif 000004
【図４】
0005010523.tif 000005
【図５】
0005010523.tif 000006
【図６】
0005010523.tif 000007
【図７】
0005010523.tif 000008